(57)【要約】【課題】    本発明は、配線数並びに配線部品個数を低減することにより、小型化並びに低コスト化を図る新規な電源装置を提供する。【解決手段】  電源ユニット１１，…，１５を複数台搭載可能なユニット搭載部３０を設けた電源装置において、前記電源ユニット及び前記ユニット搭載部にそれぞれを接続可能な接続端子２１，…２５，３１，…，３５を設けてあり、前記ユニット搭載部に設けた各接続端子の一端子を、前記電源ユニットが電源装置に搭載されたかを監視する監視部４０に接続し、前記ユニット搭載部に設けた各接続端子の他の一端子を、それぞれに異なった抵抗値の抵抗Ｒ１，…，Ｒ５に接続し、これら抵抗を前記監視部に接続して、前記監視部が、これら抵抗の合成抵抗値から前記ユニット搭載部の何れの接続端子に電源ユニットの接続端子が接続されているかを監視できるようにしてあることを特徴とする電源装置。【選択図】図１
2006034064.tif 000002
【特許請求の範囲】
【請求項１】
電源ユニットを複数台搭載可能なユニット搭載部を設けた電源装置において、前記電源ユニット及び前記ユニット搭載部にそれぞれを接続可能な接続端子を設けてあり、前記ユニット搭載部に設けた各接続端子の一端子を、前記電源ユニットが電源装置に搭載されたかを監視する監視部に接続し、前記ユニット搭載部に設けた各接続端子の他の一端子を、それぞれに異なった抵抗値の抵抗に接続し、これら抵抗を前記監視部に接続して、前記監視部が、これら抵抗の合成抵抗値から前記ユニット搭載部の何れの接続端子に電源ユニットの接続端子が接続されているかを監視できるようにしてあることを特徴とする電源装置。
【請求項２】
前記ユニット搭載部に前記ユニット搭載部に設けた接続端子の一端子と並列に基準抵抗を接続し、この基準抵抗にかかる電圧並びに抵抗値と、前記電源ユニットが搭載されて導通する上記抵抗の抵抗値より、上記抵抗にかかる電圧の和を前記監視部が検出・測定して、前記ユニット搭載部の何れの接続端子に電源ユニットの接続端子が接続されているかを監視できるようにしてあることを特徴とする請求項１記載の電源装置。
【発明の詳細な説明】
【技術分野】
【０００１】
本発明は、電源ユニットを複数個搭載可能なユニット搭載部を設けた電源装置に関するものである。
【背景技術】
【０００２】
従来の電源ユニットを複数台搭載可能なユニット搭載部を設けた電源装置の一例を表す概略図を図３に示す。この電源装置は、電源ユニット１１，…，１５を搭載するユニット搭載部３０を備え、このユニット搭載部３０は電源ユニット１１，…，１５を５台各別に搭載可能にしてある。
【０００３】
電源ユニット１１，…，１５及びユニット搭載部３０にそれぞれを接続可能な接続端子２１，…，２５，３１，…，３５を設けてある。ユニット搭載部３０に設けた各接続端子３１，…，３５の一端子を、電源ユニット１１，…，１５が電源装置に搭載されたかを監視する監視部４０に接続し、ユニット搭載部３０に設けた各接続端子３１，…，３５の他の一端子を、それぞれ信号コネクタ４１，…，４５に接続してある。これら信号コネクタ４１，…，４５をそれぞれ監視部４０に接続して、監視部４０が、ユニット搭載部３０の何れの接続端子３１，…，３５に、電源ユニット１１，…，１５が搭載されているかを監視できるようにしている（例えば、特許文献１参照）。
【特許文献１】特開２００３−８７９６８公報
【発明の開示】
【発明が解決しようとする課題】
【０００４】
しかし、従来の電源装置は、電源ユニット１１，…，１５が搭載されていることを監視するために、ユニット搭載部３０の各接続端子３１，…，３５にそれぞれ信号コネクタ４１，…，４５を接続し、各信号コネクタ４１，…，４５をそれぞれ監視部４０に接続していたため、配線数並びに配線部品個数が多くなり、コストがかかるという課題も生じた。
【０００５】
本発明は、上記問題に鑑みてなされたものであり、配線数並びに配線部品個数を低減することにより、小型化並びに低コスト化を図る新規な電源装置を提供する。
【課題を解決するための手段】
【０００６】
上記課題を解決するために、本発明に係る電源装置は、電源ユニットを複数台搭載可能なユニット搭載部を設けた電源装置において、前記電源ユニット及び前記ユニット搭載部にそれぞれを接続可能な接続端子を設けてあり、前記ユニット搭載部に設けた各接続端子の一端子を、前記電源ユニットが電源装置に搭載されたかを監視する監視部に接続し、前記ユニット搭載部に設けた各接続端子の他の一端子を、それぞれに異なった抵抗値の抵抗に接続し、これら抵抗を前記監視部に接続して、前記監視部が、これら抵抗の合成抵抗値から前記ユニット搭載部の何れの接続端子に電源ユニットの接続端子が接続されているかを監視できるようにしてあることを特徴とする。
【０００７】
前記ユニット搭載部に前記ユニット搭載部に設けた接続端子の一端子と並列に基準抵抗を接続し、この基準抵抗にかかる電圧並びに抵抗値と、前記電源ユニットが搭載されて導通する上記抵抗の抵抗値より、上記抵抗にかかる電圧の和を前記監視部が検出・測定して、前記ユニット搭載部の何れの接続端子に電源ユニットの接続端子が接続されているを監視できるようにしてあることを特徴とする。
【発明の効果】
【０００８】
本発明によれば、ユニット搭載部の各接続端子にそれぞれ異なった抵抗値の抵抗を接続しているため、従来に比べてユニット搭載部と監視部との間を簡素化することができる効果がある。また、ユニット搭載部の各接続端子に接続してある抵抗をまとめて、合成抵抗値からユニット搭載部の何れの接続端子に電源ユニットの接続端子が接続されているかを監視できるようにしてあるため、配線数並びに配線部品個数が従来に比べて少ないため、電源装置の低コスト化を図ることができる効果がある。
【発明を実施するための最良の形態】
【０００９】
発明を実施するための最良の形態の概略図を図１に示す。図１図示の電源装置は、電源ユニット１１，…，１５を搭載するユニット搭載部３０を備え、このユニット搭載部３０は電源ユニット１１，…，１５を５台各別に搭載可能にしてある。電源ユニット１１，…，１５及びユニット搭載部３０にそれぞれを接続可能な接続端子２１，…，２５，３１，…，３５を設けてある。
【００１０】
ユニット搭載部３０に設けた接続端子３１，…，３５の一端子を、電源ユニット１１，…，１５が電源装置に搭載されたかを監視する監視部４０に接続してある。このユニット搭載部３０は基準抵抗Ｒ０を備え、この基準抵抗Ｒ０は、接続端子３１，…，３５の一端子と並列に接続してあるともに、監視部４０に接続してある。また、ユニット搭載部３０に設けた接続端子３１，…，３５の他の一端子を抵抗Ｒ１，…，Ｒ５に接続してあり、これら抵抗Ｒ１，…，Ｒ５は、監視部４０に接続してある。抵抗Ｒ１，…，Ｒ５は、それぞれ異なった抵抗値を有し、監視部４０が、これら抵抗Ｒ１，…，Ｒ５の合成抵抗値からどの接続端子３１，…，３５に電源ユニット１１，…，１５が搭載されているかを監視できるようにしてある。
【００１１】
具体例としては、それぞれの抵抗Ｒ１，…，Ｒ５は異なった抵抗値を有することにより、それぞれの抵抗Ｒ１，…，Ｒ５に同じ大きさの電流を流すと、異なった電圧Ｖ１，…，Ｖ５がかかる。この電圧Ｖ１，…，Ｖ５は、基準抵抗Ｒ０にかかる電圧ＶＲ０並びに抵抗値と、電源ユニット１１，…，１５が搭載されて導通している抵抗Ｒ１，…，Ｒ５の抵抗値より求めることができる。この電圧Ｖ１，…，Ｖ５の和ＶΣを監視部４０が検出することにより、どの接続端子３１，…，３５に電源ユニット１１，…，１５が搭載されているかを監視することができる。
【００１２】
以上のように構成してある電源装置は以下のような作用をする。なお、図２には具体的な一例を示してある。なお、この実施例においては、抵抗Ｒ１，…，Ｒ５のそれぞれの抵抗値を、Ｒ０＝１００Ω、Ｒ１＝１０Ω、Ｒ２＝２０Ω、Ｒ３＝４０Ω、Ｒ４＝８０Ω、Ｒ５＝１６０Ωに設定してある。また、ＶＲ０＝５Ｖに設定してある。
【００１３】
例えば、いずれの電源ユニット１１，…，１５に搭載されていない場合は、抵抗Ｒ１，…，Ｒ５はいずれの電源ユニット１１，…，１５の接続端子２１，…，２５に接続していないため、ＶΣ＝０Ｖである。
【００１４】
続いて、電源ユニット１１のみ搭載された場合は、抵抗Ｒ１のみ電流が流れるため、抵抗Ｒ１のみ電圧Ｖ１が発生する。そのため、監視部４０では以下のように検出する。
ＶΣ＝Ｖ１＝ＶＲ０×｛Ｒ１／（Ｒ０＋Ｒ１）｝
＝５Ｖ×｛１０Ω／（１００Ω＋１０Ω）｝＝０．４６Ｖ
監視部４０でこれを検出し、電源ユニット１１のみ搭載されていることが分かる。
【００１５】
続いて、電源ユニット１１及び電源ユニット１２が搭載された場合は、抵抗Ｒ１及び抵抗Ｒ２に電流が流れるため、合成電圧ＶΣ＝Ｖ１＋Ｖ２が発生する。合成抵抗ＶΣは以下の通りとなる。
ＶΣ＝Ｖ１＋Ｖ２
＝［ＶＲ０×｛Ｒ１／（Ｒ０＋Ｒ１）｝］＋［ＶＲ０×｛Ｒ２／（Ｒ０＋Ｒ２）｝］
＝[５Ｖ×｛１０Ω／（１００Ω＋１０Ω）｝]＋［５Ｖ×｛２０Ω／（１００Ω＋２０Ω）｝] 
＝０．４６Ｖ＋０．８３Ｖ＝１．２９Ｖ
監視部４０でこれを検出し、電源ユニット１１及び電源ユニット１２が搭載されていることが分かる。
【００１６】
続いて、電源ユニット１１及び電源ユニット１５が搭載された場合は、抵抗Ｒ１及び抵抗Ｒ５に電流が流れるため、合成電圧ＶΣ＝Ｖ１＋Ｖ５が発生する。合成抵抗ＶΣは以下の通りとなる。
ＶΣ＝Ｖ１＋Ｖ５
＝［ＶＲ０×｛Ｒ１／（Ｒ０＋Ｒ１）｝］＋［ＶＲ０×｛Ｒ５／（Ｒ０＋Ｒ５）｝］
＝[５Ｖ×｛１０Ω／（１００Ω＋１０Ω）｝＋５Ｖ×｛３２０Ω／（１００Ω＋３２０Ω）｝] 
＝０．４６Ｖ＋３．８１Ｖ＝４．２７Ｖ
監視部４０でこれを検出し、電源ユニット１１及び電源ユニット１５が搭載されていることが分かる。
【００１７】
その他の搭載パターンについても、合成抵抗値は唯一であるため、合成電圧ＶΣも唯一である。よって、全ての搭載パターンを監視部４０は検出することができる。
【００１８】
なお、図１に示した電流装置の等価回路を図２に示してある。
【産業上の利用可能性】
【００１９】
本発明によれば、ユニット搭載部の各接続端子にそれぞれ異なった抵抗値の抵抗を接続しているため、従来に比べてユニット搭載部と監視部との間を簡素化することができる効果がある。また、ユニット搭載部の各接続端子に接続してある抵抗をまとめて、合成抵抗値からユニット搭載部の何れの接続端子に電源ユニットの接続端子が接続されているかを監視できるようにしてあるため、配線数並びに配線部品個数が従来に比べて少ないため、電源装置の低コスト化を図ることができる。
【図面の簡単な説明】
【００２０】
【図１】本発明に係る電源装置の構成概略図である。
【図２】図１図示電源装置の等価回路である。
【図３】従来の電源装置の概略図である。
【符号の説明】
【００２１】
１  電源装置
１１，１２，１３，１４，１５  電源ユニット
２１，２２，２３，２４，２５  電源ユニットの接続端子
３０  ユニット搭載部
３１，３２，３３，３４，３５  ユニット搭載部３０の接続端子
４０  監視部
４１，４２，４３，４４，４５  信号コネクタ
Ｒ０  基準抵抗
Ｒ１，Ｒ２，Ｒ３，Ｒ４，Ｒ５  抵抗
【図１】
2006034064.tif 000003
【図２】
2006034064.tif 000004
【図３】
2006034064.tif 000005